(57)【特許請求の範囲】
【請求項１】
パケット喪失処理の方法であって、
バースト送信器が、下りリンク・マルチユーザ複数入力及び複数出力（ＤＬ  ＭＵ−ＭＩＭＯ）無線ネットワーキング環境において動作するよう構成された無線アクセス・ポイントにより、無線局のＤＬ  ＭＵ−ＭＩＭＯ群にＭＵ−ＭＩＭＯ無線ネットワークを介してＤＬ  ＭＵ−ＭＩＭＯバーストを送信する工程と、
パケット喪失解析器が、前記ＤＬ  ＭＵ−ＭＩＭＯバースト送信が全部、首尾良く行われたか否かを判定する工程と、
パケット喪失調節器が、１つ又は複数のパケット喪失調整を行う工程と、
前記パケット喪失解析器が、前記ＤＬ  ＭＵ−ＭＩＭＯバースト送信が少なくとも部分的に首尾良く行われたか否かを判定する工程と、
前記バースト送信器が、バックオフ期間が満了した後、次のＤＬ  ＭＵ−ＭＩＭＯバースト送信を送出する工程とを含み、
前記パケット喪失解析器が、前記ＤＬ  ＭＵ−ＭＩＭＯバースト送信に対してどのパケット又は無線局が肯定応答（ＡＣＫ）で応答できなかったかを判定する工程と、
ＭＡＣ保護装置が、障害が生じたと判定された前記パケット又は無線局に対するＭＡＣ保護を行う工程と
を更に含み、前記ＭＡＣ保護により、前記障害が生じたパケット又は無線局の送信機会（ＴＸＯＰ）が確立される方法。
【請求項２】
請求項１記載の方法であって、
前記パケット喪失解析器が、前記バースト送信に対してどのパケット又は無線局が肯定応答（ＡＣＫ）で応答できなかったかを判定する工程と、
リンク適合装置が、障害が生じたと判定された前記パケット又は無線局に対するデータ・レートを低減させる工程と
を更に含む方法。
【請求項３】
請求項１記載の方法であって、
前記パケット喪失解析器が、前記バースト送信に対してどのパケット又は無線局が肯定応答（ＡＣＫ）で応答できなかったかを判定する工程と、
前記ＭＡＣ保護装置が、障害が生じたと判定された前記パケット又は無線局のＭＡＣ保護がオンであるか否かを判定する工程と、
障害が生じたと判定された前記パケット又は無線局のＭＡＣ保護がオフであるとの判定に応じて、前記ＭＡＣ保護装置が、障害が生じたパケット又は無線局のＭＡＣ保護をオンにする工程と、
障害が生じたと判定された前記パケット又は無線局のＭＡＣ保護がオンであるとの判定に応じて、前記リンク適合装置が、障害が生じたパケット又は無線局の指定された送信データ・レートを削減する工程と
を更に含む方法。
【請求項４】
請求項１記載の方法であって、前記パケット喪失調節器が、前記バースト送信が全部、首尾良く行われたとの判定に応じ、かつ、別のＤＬ  ＭＵ−ＭＩＭＯバースト送信の前記送出の前に成功バックオフを行う工程を更に含む方法。
【請求項５】
請求項１記載の方法であって、前記パケット喪失調節器が、前記バースト送信が全部、首尾良く行われたとの判定に応じ、かつ、別のＤＬ  ＭＵ−ＭＩＭＯバースト送信の前記送出の前に成功バックオフを行う工程を更に含み、前記成功バックオフを行う工程は、送信されるトラフィックのタイプについて指定された最小競合ウィンドウを超えない値に前記バックオフ期間をセットする工程、及びバックオフ・タイマを起動させる工程を含む方法。
【請求項６】
請求項１記載の方法であって、前記パケット喪失の調整は、前記バースト送信が全部、首尾良く行われた訳でなかったとの判定に応じて行われ、前記パケット喪失の調整は、全部首尾良く行われた訳でないＤＬ  ＭＵ−ＭＩＭＯバースト送信から生じる何れかのパケット喪失を補償するために１つ又は複数の後続ＤＬ  ＭＵ−ＭＩＭＯバ―スト送信を調節する方法。
【請求項７】
請求項１記載の方法であって、前記パケット喪失調節器が、１つ又は複数のパケット喪失の調節を行う工程は、
前記バースト送信に対してどのパケット又は無線局が肯定応答（ＡＣＫ）で応答できなかったかを判定する工程と、
前記障害が生じたパケット又は障害が生じた無線局の何れかが、規定された最大再試行閾値に達したか、又は超えたかを判定する工程と、
前記規定された最大再試行閾値を、障害が生じた特定のパケット又は無線局が前記規定された最大再試行閾値に達したか、又は超えたとの判定に応じて、後続ＤＬ  ＭＵ−ＭＩＭＯバースト送信から前記障害が生じた特定のパケット又は無線局を除外する工程と
を含む方法。
【請求項８】
請求項１記載の方法であって、前記パケット喪失調節器が、１つ又は複数のパケット喪失の調節を行う工程は、
前記バースト送信に対してどのパケット又は無線局が肯定応答（ＡＣＫ）で応答できなかったかを判定する工程と、
障害が生じたパケット又は無線局の指定された送信データ・レートを削減する工程と
を含む方法。
【請求項９】
請求項１記載の方法であって、前記パケット喪失調節器が、１つ又は複数のパケット喪失の調節を行う工程は、
前記バースト送信に対してどのパケット又は無線局が肯定応答（ＡＣＫ）で応答できなかったかを判定する工程と、
別のＤＬ  ＭＵ−ＭＩＭＯバースト送信を起動させることにより、障害が生じたパケット又は障害が生じた無線局の送信機会（ＴＸＯＰ）を回復する工程と
を含む方法。
【請求項１０】
請求項１記載の方法であって、前記パケット喪失調節器が、１つ又は複数のパケット喪失の調節を行う工程は、
前記バースト送信に対してどのパケット又は無線局が肯定応答（ＡＣＫ）で応答できなかったかを判定する工程と、
フレーム間遅延後に、かつ、ネットワーク割り当てベクトルの満了前に、別のＤＬ  ＭＵ−ＭＩＭＯバースト送信を起動させることにより、障害が生じたパケット又は障害が生じた無線局の送信機会（ＴＸＯＰ）を回復する工程と
を含む方法。
【請求項１１】
請求項１記載の方法であって、前記パケット喪失調節器が、前記バースト送信は部分的に首尾良く行われた訳でもないとの判定に応じて、かつ、別のＤＬ  ＭＵ−ＭＩＭＯバースト送信の前記送出前に障害バックオフを行う工程を更に含み、部分的に首尾良く行われたバースト送信は、少なくとも１つの局が、前記ＤＬ  ＭＵ−ＭＩＭＯバースト送信の一部として送出されたパケットに対する肯定応答で応答するバースト送信である方法。
【請求項１２】
請求項１記載の方法であって、前記パケット喪失調節器が、前記バースト送信は部分的にも首尾良く行われた訳でもないとの判定に応じて、かつ、別のＤＬ  ＭＵ−ＭＩＭＯバースト送信の前記送出前に障害バックオフを行う工程を更に含み、部分的に首尾良く行われたバースト送信は、少なくとも１つの局が、前記ＤＬ  ＭＵ−ＭＩＭＯバースト送信の一部として送出されたパケットに対する肯定応答で応答し、前記障害バックオフを行う工程は、
その直前値よりも漸増的に、又は指数関数的に大きいが、送信されるトラフィックのタイプの指定された最大競合ウィンドウ値を超えない値に前記バックオフ期間をセットする工程と、
バックオフ・タイマを起動させる工程とを含む方法。
【請求項１３】
方法であって、
バースト送信器が、無線局のＤＬ  ＭＵ−ＭＩＭＯ群にＭＵ−ＭＩＭＯ無線ネットワークを介してＤＬ  ＭＵ−ＭＩＭＯバーストを、下りリンク・マルチユーザ複数入力及び複数出力（ＤＬ  ＭＵ−ＭＩＭＯ）無線ネットワーキング環境において動作するよう構成された無線アクセス・ポイントによって送信する工程と、
パケット喪失解析器が、前記ＤＬ  ＭＵ−ＭＩＭＯバースト送信の少なくとも部分的な障害を検出する工程と、
前記検出に応じて、前記パケット喪失解析器が、どのパケット又は無線局が前記ＤＬ  ＭＵ−ＭＩＭＯバースト送信に対して肯定応答（ＡＣＫ）で応答できなかったかを判定する工程と、
ＭＡＣ保護装置が、障害が生じたと判定された前記パケット又は前記無線局に対してＭＡＣ保護がオンになっているかを判定する工程とを含み、前記ＭＡＣ保護により、前記障害が生じたパケット又は無線局の送信機会（ＴＸＯＰ）が確立される方法。
【請求項１４】
請求項１３記載の方法であって、障害が生じたと判定された前記パケット又は無線局のＭＡＣ保護がオフであるとの判定に応じて、前記ＭＡＣ保護装置が、障害が生じたパケット又は無線局のＭＡＣ保護をオンにする工程とを含む方法。
【請求項１５】
請求項１３記載の方法であって、障害が生じたと判定された前記パケット又は無線局のＭＡＣ保護がオンであるとの判定に応じて、リンク適合装置が、障害が生じたパケット又は無線局の指定された送信データ・レートを削減する工程とを含む方法。
【請求項１６】
請求項１３記載の方法であって、
前記パケット喪失解析器が、前記バースト送信が全部首尾良く行われたか否かを判定する工程と、
前記パケット喪失調節器が、前記バースト送信が全部、首尾良く行われた訳でなかったとの判定に応じて、パケット喪失の調整を、
前記障害が生じたパケット又は障害が生じた無線局の何れかが、規定された最大再試行閾値に達したか、又は超えたかを判定し、
障害が生じた特定のパケット又は無線局が前記規定された最大再試行閾値に達したか、又は超えたとの判定に応じて、前記パケット喪失調節器が、後続ＤＬ  ＭＵ−ＭＩＭＯバースト送信から前記障害が生じた特定のパケット又は無線局を除外することによって行う方法。
【請求項１７】
請求項１３記載の方法であって、
前記パケット喪失解析器が、前記バースト送信が全部首尾良く行われたか否かを判定する工程と、
前記パケット喪失調節器が、前記バースト送信が全部首尾良く行われた訳でないとの判定に応じて、前記バースト送信が部分的に首尾良く行われた訳でないとの判定に応じて、かつ、別のＤＬ  ＭＵ−ＭＩＭＯバースト送信の前記送出の前に障害バックオフを行い、部分的に首尾良く行われたバースト送信は、少なくとも１つの局が、前記ＤＬ  ＭＵ−ＭＩＭＯバースト送信の一部として送出されたパケットに対する肯定応答で応答するバースト送信である方法。
【請求項１８】
システムであって、
下りリンク・マルチユーザ複数入力及び複数出力（ＤＬ  ＭＵ−ＭＩＭＯ）バーストをＭＵ−ＭＩＭＯ無線ネットワークを介して無線局のＤＬ  ＭＵ−ＭＩＭＯ群に送信するよう構成されたバースト送信器であって、前記ＤＬ  ＭＵ−ＭＩＭＯバーストは複数のパケットを含み、前記複数のパケットの別々の１つ又は複数のパケットは前記無線局のＤＬ  ＭＵ−ＭＩＭＯ群の別々の無線局に宛てられているバースト送信器と、
前記ＤＬ  ＭＵ−ＭＩＭＯバーストの１つ又は複数のパケットが喪失したか否かを判定するよう構成されたパケット喪失解析器と、
前記判定されたパケット喪失を補償するために調整措置をとることにより、パケット喪失解析器により、パケット喪失判定に応答するよう構成されたパケット喪失調節器と
を含み、ＭＡＣ保護がオフである場合に、喪失パケットを有する無線局について又は喪失パケットについてＭＡＣ保護をオンにするよう構成されたＭＡＣ保護装置を更に備え、
、前記ＭＡＣ保護により、前記障害が生じたパケット又は無線局の送信機会（ＴＸＯＰ）が確立されるシステム。
【請求項１９】
請求項１８記載のシステムであって、喪失パケットを有する無線局について、又は喪失パケットについて、指定された送信データ・レートを、前記バースト送信器による後続の１つ又は複数のバースト送信が、喪失パケットを有する無線局について、又は前記パケットについて前記削減された指定データ・レートを利用するように削減するよう構成されたリンク適合装置を更に備えるシステム。
【発明の詳細な説明】
【技術分野】
【０００１】
無線ローカル・エリア・ネットワーク（ＷＬＡＮ）上での（音声及びマルチメディアなどの）パケット喪失感応性トラフィック・タイプの使用の増大に応じて、米国電気電子技術者（ＩＥＥＥ）８０２．１１タスクグループＥ（８０２．１１ｅ）は、ＩＥＥＥ８０２．１１無線ネットワーク標準の媒体アクセス制御（ＭＡＣ）層に対するサービス品質（ＱｏＳ）の拡張を追加している。前述の標準は現在、西暦２００７年６月１２日に公表されたＩＥＥＥ標準８０２．１１−２００７において文書化されている。前述のＱｏＳの拡張は、ＩＥＥＥ８０２．１１ｅアメンドメント（西暦２００５年１１月１１日に公表されたＩＥＥＥ標準８０２．１１−１９９５）の一部である。
【背景技術】
【０００２】
ＷＬＡＮのスループット及び範囲を増加させることを望んで、ＩＥＥＥタスクグループＮ（８０２．１１ｎ）は、ＩＥＥＥ８０２．１１標準に対して複数入力及び複数出力（ＭＩＭＯ）を導入した。
【発明の概要】
【発明が解決しようとする課題】
【０００３】
ＭＩＭＯでは、無線アクセス・ポイント（ＡＰ）及び無線受信局（ＳＴＡ）における複数の受信器及び送信器により、スループット及び範囲が向上する。ＭＩＭＯは、ＩＥＥＥ８０２．１１ｎアメンドメント（ＩＥＥＥ標準８０２．１１−２００９）のコア技術の１つである。ＩＥＥＥ８０２．１１ｎのＭＩＭＯは単一ユーザＭＩＭＯ（ＳＵ−ＭＩＭＯ）であり、ＳＴＡは、前述のＳＴＡの信号コヒーレンスを向上させるために、同時に複数のアンテナを介してＡＰの信号を受信する。
【課題を解決するための手段】
【０００４】
詳細な説明を、添付図面を参照して記載する。図中、参照符号の最も左の桁は、参照符号が最初に存在する図を識別する。同様な構成及び構成部分を参照するために、図を通して同じ符号が使用される。
【図面の簡単な説明】
【０００５】
【図１】本明細書及び特許請求の範囲記載の手法を実現することができるマルチユーザ複数入力及び複数出力無線ネットワークを備えた例示的なネットワーキング環境を示す図である。
【図２】更に詳細に図１の例示的な無線アクセス・ポイントを示すブロック図である。例証された部分は、本明細書及び特許請求の範囲記載のパケット喪失処理手法に関する手法を実現する。
【図３】本明細書及び特許請求の範囲記載のパケット喪失処理手法の例示的な処理のフロー図である。
【図４】本明細書及び特許請求の範囲記載のパケット喪失処理手法の例示的な処理のフロー図である。
【図５】本明細書及び特許請求の範囲記載のパケット喪失処理手法の例示的な処理のフロー図である。
【発明を実施するための形態】
【０００６】
下りリンク・マルチユーザ複数入力及び複数出力（ＤＬ  ＭＵ−ＭＩＭＯ）無線ネットワークは、マルチパケット・マルチデスティネーション伝送のパケット喪失をどのようにして処理するか。前述の伝送により、パケット喪失が生起したことを無線アクセス・ポイントはどのようにして知るか。本明細書及び特許請求の範囲記載の手法は解決策を提供する。
【０００７】
ＤＬ  ＭＵ−ＭＩＭＯ無線ネットワークでは、マルチパケット・マルチデスティネーション伝送における無線局の一部は無線アクセス・ポイントからそのパケットを正しく受信しないということが考えられる。よって、そのパケットを受信しなかった局はアクセス・ポイントに対して肯定応答（ＡＣＫ）を返信しないが、そのパケットを受信した局はＡＣＫで応答する。
【０００８】
本明細書及び特許請求の範囲記載の手法は、ＤＬ  ＭＵ−ＭＩＭＯ無線ネットワークにおけるマルチパケット・マルチデスティネーション伝送から一部のＡＣＫが欠落している状況に直面した場合にアクセス・ポイントがどのようにして挙動すべきかの明確化に助力する。
【０００９】
章の題名を含むこの概略、及び対応する要約は、読者の便宜上、設けられており、請求項の範囲も、先行する部分の範囲も限定することを意図するものでない。
【００１０】
「例示的な」という語は、本明細書及び特許請求の範囲では、例、インスタンス、又は例示としての役目を担うことを意味するために使用される。「例示的」であるとして本明細書及び特許請求の範囲に開示された局面又はデザインは何れも、必ずしも、他の局面又はデザインに対して好ましいか、又は効果的であるとして解されない。むしろ、例示的な語の使用は、具体的な態様で概念を提示することを意図している。本出願で使用する「又は」という語は、排他的な「又は」よりもむしろ非排他的な「又は」を意味することを意図している。すなわち、別途明記しない限り、又は前後関係から明白でない限り、「ＸがＡ又はＢを使用する」は、非排他的な自然順列の何れかを意味することを意図している。すなわち、ＸがＡを使用するか、ＸがＢを使用するか、又はＸがＡ及びＢを使用する場合、上記インスタンスの何れかの下で「ＸがＡ又はＢを使用する」ということは満たされる。更に、特許請求の範囲を含む本出願において使用される「ａ」及び「ａｎ」の冠詞は、別途規定しない限り、又は、単数形に関係することが前後関係から明白でない限り、「１つ又は複数」を意味すると一般に解される。
【実施例】
【００１１】
例示的なマルチユーザＭＩＭＯ無線ネットワーク
図１は例示的なネットワーク１００を示す。例示的なネットワーク１００は、インターネット又は他のＷＬＡＮなどの、無線ローカル・エリア・ネットワーク（ＷＬＡＮ）１０２、及び通信可能にリンクされた他のネットワーク１０４（有線、無線、セルラ、衛星等）を含み得る。ＷＬＡＮ１０２は、下りリンク（ＤＬ）マルチユーザＭＩＭＯ（ＭＵ−ＭＩＭＯ）無線ネットワーキングのパケット喪失処理手順の上述の手法を実現することができる。ＷＬＡＮ  １０２は、少なくとも１つの無線アクセス・ポイント（ＡＰ）１１０、及び無線受信局（ＳＴＡ）１２２乃至１２６の群１２０を含む。
【００１２】
ＡＰ１１０は、無線ＳＴＡの群１２０と、通信可能にリンクされた他のネットワーク１０４との間のブリッジとして機能する。ＡＰ１１０は専用ネットワーク装置であり得る。あるいは、これは、多目的装置又は汎用目的計算装置であり得る。例えば、ＡＰ１１０は、ＷＬＡＮ１０２の無線アクセス・ポイントとしても機能することが可能なブリッジ、ルータ、中継器、サーバ、クライアント、又は何れかの他のネットワーク装置であり得る。
【００１３】
ＳＴＡ１２２乃至１２６はそれぞれ、ＤＬ  ＭＵ−ＭＩＭＯ無線ネットワーキング環境における無線接続性の機能を備えたパソコン、ラップトップ、モバイル装置、又は何れかの他の計算装置であり得る。図１に明示的に示していないが、ＳＴＡ１２２乃至１２６はそれぞれ、本明細書及び特許請求の範囲記載の手法を少なくとも部分的に行うよう構成されたハードウェア、ファームウェア、及び／又はソフトウェアを含み得る。
【００１４】
表されているＤＬ  ＭＵ−ＭＩＭＯ  ＷＬＡＮ  １０２は、インフラストラクチャ無線ネットワークであるが、ＡＰ１１０がＳＴＡ１２０の群のメンバであるいわゆる「アドホック」ネットワークなどの、ＷＬＡＮの他の実現形態を使用することができる。
【００１５】
ＷＬＡＮ１０２は、ＭＵ−ＭＩＭＯ無線ネットワークである。ＭＵ−ＭＩＭＯネットワークは、無線ネットワーク（例えば、ＷＬＡＮ１０２）にわたる通信機能全体を向上させるために、空間的に分散された複数の装置（例えば、ＳＴＡ群１０２）を有していることを利用する。対照的に、従来のＭＩＭＯネットワーク又は単一ユーザのＭＩＭＯネットワークは、複数のアンテナを有する局所装置のみを考慮に入れる。ＭＵ−ＭＩＭＯでは、ＡＰ１１０は、同時に同じ帯域で信号を複数の装置（ここでは、ＳＴＡ群１２０）に対して送信する。この概念は、空間分割多元アクセス（ＳＤＭＡ）と呼ばれる。ＳＤＭＡでは、電磁スペクトルの同じ部分は、複数の伝送経路を介して使用される。多くの場合、前述の経路はマルチビーム・アンテナによって形成され、各ビームは、別々の地域又は空間領域に向けられる。
【００１６】
より具体的には、図１はＷＬＡＮ１０２の下りリンク（ＤＬ）  ＭＵ−ＭＩＭＯ無線ネットワーキング局面を示す。あるいは、ＤＬ  ＭＵ−ＭＩＭＯはＭＩＭＯブロードキャストと呼ばれる。ＡＰ１１０は、マルチパケット・マルチデスティネーション伝送（すなわち、バースト）１３０をＳＴＡ群１２０に送出する。そのバースト１３０は、別々の局に宛てられたパケットを含む。図１に示すように、パケットデスティネーション表示子１３２は、ＳＴＡ１２２に宛てられたバースト１３０のパケットの方向を示す。同様に、パケットデスティネーション表示子１３４は、ＳＴＡ１２４に宛てられたバースト１３０のパケットの方向を示す。同様に、パケットデスティネーション表示子１３６及びＳＴＡ１２６も同様である。
【００１７】
パケットデスティネーション表示子１３２乃至１３６は、ＡＰ１１０からＳＴＡ群１２０への、下りリンク・バースト１３０の下りリンク通信フローを示す。ＤＬ  ＭＵ−ＭＩＭＯを使用して、ＡＰ１１０は、同時に複数の無線局に対してマルチパケット・マルチデスティネーション伝送１３０を送出することが可能である。すなわち、ＡＰ１１０は、同時に群１２０のＳＴＡそれぞれに別々のデータ・パケットを送信する。そのことは、送信におけるパケットそれぞれの少なくとも一部が、別々の局に宛てられるということを意味する。そのデスティネーション群は図１では群１２０であり、本明細書及び特許請求の範囲では、「ＳＤＭＡ群」又は「ＤＬ  ＭＵ−ＭＩＭＯ群」と呼び得る。更に、マルチパケット・マルチデスティネーション伝送１３０は本明細書及び特許請求の範囲では、「ＳＤＭＡ伝送」又は「ＤＬ  ＭＵ−ＭＩＭＯバースト」と呼ばれる。
【００１８】
ＩＥＥＥ８０２．１１によるパケット喪失処理
ＩＥＥＥ８０２．１１標準は、少なくとも５つの物理層プロトコル（例えば、８０２．１１、８０２．１１ａ、８０２．１１ｂ、８０２．１１ｇ、８０２．１１ｊ、及び８０２．１１ｎ）及びＭＡＣ（媒体アクセス制御）層プロトコルを定義する。元のＩＥＥＥ８０２．１１ＭＡＣプロトコルは、分散連携機能（ＤＣＦ）及びポイント連携機能（ＰＣＦ）という２つの媒体アクセス方法を有している。ＤＣＦは、符号分割多元アクセス（ＣＳＭＡ）及び衝突回避（ＣＳＭＡ／ＣＡ）を更に増強し、ＰＣＦはポーリングに基づき、競合なしアクセスを提供する。
【００１９】
ＤＣＦでは、別々のトラフィック・タイプ間での優先順位は存在しない。ＤＣＦは、高負荷状態下での安定性を向上させるために指数バックオフ手順を定義している。  
Ｂａｃｋｏｆｆ  ｔｉｍｅ＝Ｒａｎｄｏｍ（［０，ＣＷ］）＊ａＳｌｏｔＴｉｍｅ
Ｒａｎｄｏｍ（［ａ，ｂ］）は、間隔［ａ，ｂ］にわたる一様な分布から得られた疑似乱数整数を返す。ａＳｌｏｔＴｉｍｅは、物理層による固定時間量である。
【００２０】
競合ウィンドウ（ＣＷ）は衝突が生起する都度、指数関数的に増加する。  
当初、ＣＷ＝Ｃｗｍｉｎ（最小競合ウィンドウ）である。
【００２１】
次いで、伝送が首尾良く行われなかった場合には何れもその後に、ＣＷ＝ｍｉｎ（（ＣＷ＋ｌ）＊２−ｌ，ＣＷｍａｘ）である。ＣＷｍａｘは最大競合ウィンドウである。
【００２２】
ＣＷは、伝送が首尾良く行われた後、Ｃｗｍｉｎにリセットされる。
【００２３】
ＩＥＥＥ８０２．１１ｅアメンドメントでは、サービス品質（ＱｏＳ）の特徴が、データ・トラフィック・タイプ（例えば、ビデオ又は音声）に基づいて状態を調節することによる、パケット喪失の処理を助力するために加えられた。前述の状態は、優先度、送信時間、及び信頼度を含む。ＩＥＥＥ８０２．１１ｅでは、ＭＡＣプロトコルは、拡張分散連携アクセス（ＥＤＣＡ）及びＨＣＦ（ハイブリッド連携機能）制御チャネル・アクセス（ＨＣＣＡ）という新たな２つの媒体アクセス手法を有している。
【００２４】
ＥＤＣＡプロトコルは、ネットワーク内のどの局（ＳＴＡ１２２又は１２４）が信号を送信する権利を有しているかを判定するために、ランダム・バックオフを備えた競合ウィンドウ（ＣＷ）方法を使用する競合ベースの機構である。すなわち、ＥＤＣＡが使用される場合、信号を送信することが許可された局はどれかを判定するために、ネットワークの種々の局が、局特定の期間（例えば、競合ウィンドウ）中に競合する。
【００２５】
ＥＤＣＡでは、高優先度トラフィックは、低優先度トラフィックよりも送出される確率が高い。例えば、一般に、高優先度トラフィックを備えた局は、低優先度トラフィックを備えた局よりも、その次のパケットを送出する前に待つ時間が少し少ない。更に、各優先度レベルには、それ自身の送信機会（ＴＸＯＰ）が割り当てられる。ＴＸＯＰは、一連のフレームを送信することが可能な最大持続時間及び開始時間を定義している。ＴＸＯＰが存在しない（例えば、ＴＸＯＰ＝０である）場合、局は単一のフレーム（例えば、ＭＡＣサービス・データ・ユニット）に制限される。
【００２６】
ＥＤＣＡは、４つのタイプのデータ・トラフィック・アクセス・カテゴリ（ＡＣ）、例えば、音声、ビデオ、ベストエフォート、及び背景を規定する。前述のＡＣはそれぞれ、それ自身のキュー及びそれ自身のＥＤＣＡパラメータ・セットを有する。種々のパラメータが、アクセス・カテゴリ毎に構成される。前述のパラメータの例には、
ＣＷｍｉｎ  最小競合ウィンドウ・サイズ
ＣＷｍａｘ  最大競合ウィンドウ・サイズ
ＴＸＯＰは、（ＡＣ毎に）局が送信することが可能な最大持続時間を規定する。
【００２７】
ＡＩＦＳＮ  調停フレーム間空間番号は、無線媒体がアイドル状態になる時点と、チャネル・アクセス・ネゴシエーションの開始との間の時間間隔を（ＡＣ毎に）規定する。
【００２８】
ＤＣＦと同様に、送出する対象のデータを備えた局は媒体がアイドル状態になるまで待つが、ＩＥＥＥ８０２．１１ｅでは、局はその場合、更なる期間だけ待つ。その更なる期間は、送出されるＡＣのＡＩＦＳＮ値によって求められる。
【００２９】
ＡＩＦＳＮ期間の後、局は、使用中のＡＣの最大競合ウィンドウ（Ｃｗｍａｘ）と最小競合ウィンドウ（ＣＷｍｉｎ）との間の乱数を生成する。ＡＩＦＳＮ、ＣＷｍｉｎ、及びＣＷｍａｘの組み合わせは、通常、大半の場合に高優先度データがネットワークに対するアクセスを得るように構成される。
【００３０】
アクセス・ポイントは、データ・パケットを単一の局に従来のＷＬＡＮにおいて送出すると、局からの肯定応答（ＡＣＫ）の返信を期待する。アクセス・ポイントは、送信されたパケットに対するＡＣＫを得なかった場合、衝突が生起したとみなし、例外的なバックオフ再試行手順を行う。再試行毎のバックオフ時間の長さは、衝突が生起し続けるにつれ、（通常、指数関数的に）増加する。バックオフ時間間隔の当初の長さは例えば、元のＩＥＥＥ８０２．１１ＭＡＣプロトコルにおけるＤＣＦ関数の一部として定義し得る。ＩＥＥＥ８０２．１１ｅＭＡプロトコルでは、バックオフ時間間隔は、ＥＣＤＡ関数の一部として更なるＡＩＦＳＮ期間を含み得る。通常、アクセス・ポイントは、バックオフ期間が満了する（例えば、バックオフ・タイマがゼロに達する）まで送信を再試行する。パケット喪失が、従来の手法（ＩＥＥＥ８０．１１ｅなど）においてどのように処理されるかを上述した。
【００３１】
ＤＬ  ＭＵ−ＭＩＭＯ無線ネットワークのパケット喪失処理
ＤＬ  ＭＵ−ＭＩＭＯ無線ネットワーク（例えば、図１のＷＬＡＮ１０２）では、無線アクセス・ポイント（例えば、ＡＰ１１０）が、マルチパケット・マルチデスティネーション送信（すなわち、ＤＬ  ＭＵ−ＭＩＭＯバースト）を複数の局（例えば、ＳＴＡ群１２０）に送出すると、局の一部（例えば、ＳＴＡ１２４）はそのパケットを正しく受信しない。よって、そのパケットを受信しない局はＡＰ１１０に対してＡＣＫを返信しないが、そのパケットを受信する局はＡＣＫで応答する。
【００３２】
ＤＬ  ＭＵ−ＭＩＭＯバーストに応じてＤＬ  ＭＵ−ＭＩＭＯ群から欠落しているＡＣＫが一部存在している状態に直面した場合にＡＰ１１０がどのようにして挙動すべきであるかを規定することを助力する。
【００３３】
例示的なＤＬ  ＭＵ−ＭＩＭＯパケット喪失処理システム
図２は、ＤＬ  ＭＵ−ＭＩＭＯパケット喪失処理の例示的なパケット喪失処理システム２００の構成部分を示す。例示的なパケット喪失処理システム２００は、ＤＬ  ＭＵ−ＭＩＭＯ無線ネットワーキング環境１０２における無線アクセス・ポイント（例えば、ＡＰ１１０）の一部として実現し得る。
【００３４】
例示的なパケット喪失処理システム２００は、ファームウェア２０２、１つ又は複数のプロセッサ２０４、及びメモリ２０６を含む。メモリ２０６に常駐しているのは、１つ又は複数の構成部分２１０乃至２１８である。前述の構成部分は、コンピュータ上、計算装置上、又は前述の装置のプロセッサ上で実行可能な命令であるコンピュータ実行可能な命令のモジュールであり得る。ここではモジュールとして示しているが、構成部分は、ハードウェア、ファームウェア、又は何れかの構成部分として実施し得る。本明細書及び特許請求の範囲記載の手法は、ハードウェア、ソフトウェア、ファームウェア、又はその特定の組み合わせにより、全部又は一部として行い得る。
【００３５】
構成部分は、ＤＬ  ＭＵ−ＭＩＭＯバースト送信器２１０、パケット喪失解析器２１２、パケット喪失調節器２１４、ＭＡＣ保護装置２１６、及びリンク適合装置２１８を含む。
【００３６】
ＤＬ  ＭＵ−ＭＩＭＯバースト送信器２１０は、ＤＬ  ＭＵ−ＭＩＭＯバースト（例えば、図１の１３０）をＤＬ  ＭＵ―ＭＩＭＯ群（例えば、図１の１２０）に送信する。更に、何れかのバックオフ遅延、又は他のフレーム間中断を行うことも可能である。ＤＬ  ＭＵ−ＭＩＭＯバーストは、複数のパケットを含み、複数のパケットのうちの別々の１つ又は複数のパケットは、無線局群の別々の無線局（例えば、図１の１２０）に宛てられる。
【００３７】
パケット喪失解析器２１２は、ＤＬ  ＭＵ−ＭＩＭＯバーストから何れかのパケットが喪失しているか否かを解析し、判定する。通常、ＤＬ  ＭＵ−ＭＩＭＯバーストの一部として送出された１つ又は複数のパケットに対してＡＣＫが欠落している場合にパケット喪失が存在していると判定される。ＡＣＫが欠落しているパケットは本明細書及び特許請求の範囲では、「障害が生じたパケット」と呼ばれ、障害が生じたパケットを有する局は、「障害が生じたＳＴＡ」と呼ばれる。
【００３８】
パケット喪失が生起したと判定された場合、パケット喪失調節器２１４は調整措置を講じる。前述の措置は、劣悪なチャネル状態が存在しているとみなし、前述の状態を補償する。前述の措置の例には、１）障害が生じた、最大を超えたパケットの廃棄、２）データ・レートの低減、及び／又は３）ＴＸＯＰの回復が含まれる。
【００３９】
パケット喪失調節器２１４は、障害が生じたパケット（すなわち、喪失パケット）の何れかが、規定の最大再試行閾値に達したかをみるために確認し得る。この閾値は自動的に、又は手作業で規定される。手作業の場合、ユーザ又は管理者によって規定し得る。規定された最大再試行閾値は、再試行の数、又は再試行に使用されたデータの量を制限し得る。否定の場合、パケット喪失調節器は、障害が生じたパケットの再試行カウンタを１つ増やす。肯定の場合、次のバーストからパケットを廃棄する。あるいは、パケット喪失調節器２１４は、障害が生じたパケットのデータ・レートを低減し得る。このようにして、障害ＳＴＡに対してパケットにおいて送出されたデータ量は次回、続いて起こり得る。あるいは、パケット喪失調節器２１４はなお、別のＤＬ  ＭＵ−ＭＩＭＯバーストを起動させることにより、ＴＸＯＰを回復するよう試み得る。バーストは通常、短いフレーム間遅延後に送出されるが、ネットワーク割り当てベクトル（ＮＡＶ）タイマの満了前に送出される。短いフレーム間遅延は例えば、ＳＩＦＳ（短いフレーム間空間）、ＰＩＦＳ（ＰＣＦフレーム間空間）であり得、又は、場合によっては、ＤＩＦＳ（ＤＣＦフレーム間空間）であり得る。パケット喪失調節器２１４は、再試行パケットのデータ・レートも低減し得る。通常、再送信されたＤＬ  ＭＵ−ＭＩＭＯバーストは、首尾良いＳＴＡ及び障害が生じたＳＴＡに宛てられたデータ・パケットを含む。
【００４０】
ＭＡＣ保護装置２１６は、ＭＡＣ保護が、ＳＴＡ（又は、あるいは、障害が生じたパケット）についてオンであるか否かを判定する。否定の場合、ＭＡＣ保護装置２１６は、ＭＡＣ保護をオンにする。これは、障害が生じたＳＴＡとのＲＴＳ／ＣＴＳ（送出要求／送出許可）を起動させることにより、このことを行う。ＭＡＣ保護をオンにすることにより、ＳＴＡのＴＸＯＰ（「保護された」ＴＸＯＰとも呼ばれる）も確立される。
【００４１】
ＭＡＣ保護が既にオンになっている場合、リンク適合装置２１８は、障害が生じたパケット（及び／又は障害が生じたＳＴＡ）のデータ・レートを低減させる。再送信の数が、指定された閾値を超えた場合、障害が生じたＳＴＡはＤＬ  ＭＵ−ＭＩＭＯ群から除外される。あるいは、閾値は、データ・レート低減の数又は量によってトリガされ得る。よって、次のＤＬ  ＭＵ−ＭＩＭＯバーストにおいて、障害が生じたＳＴＡに宛てられるパケットは存在しない。リンク適合装置２１８は更に、障害が生じたＳＴＡに対するビーム形成訓練の実行を支援し得る。
【００４２】
例示的な処理
図３乃至図５は、ＤＬ  ＭＵ−ＭＩＭＯ無線ネットワーキング環境の誤り状態（例えば、パケット喪失）処理の、本明細書及び特許請求の範囲記載の手法を実現する例示的な処理３００、４００、及び５００を示すフロー図である。前述の処理はそれぞれ、ハードウェア、ソフトウェア、又はそれらの組み合わせにおいて実現することが可能な動作の系列を表す論理フロー・グラフにおけるブロックの収集体として示す。ソフトウェアのコンテキストでは、ブロックは、前述のコンピュータの１つ又は複数のプロセッサによって実行されると、記載された動作を行うコンピュータ命令を表す。処理が記載された順序は限定として解されることを意図しておらず、記載された何れかの数の処理ブロックを何れかの順序で組み合わせて上記処理、又は別の処理を実現することが可能である。更に、個々のブロックは、本明細書及び特許請求の範囲記載の主題の趣旨及び範囲から逸脱しない限り、処理から削除し得る。
【００４３】
図３は、動作３０２を含む、ＤＬ  ＭＵ−ＭＩＭＯ環境におけるパケット喪失処理のための処理３００を示す。この動作では、前述の環境におけるＤＬ  ＭＵ−ＭＩＭＯ及びパケット喪失処理のために構成された無線アクセス・ポイント（ＡＰ１１０など）は、当初の、又は次のＤＬ  ＭＵ−ＭＩＭＯバースト（例えば、バースト１３０）をＤＬ  ＭＵ−ＭＩＭＯ群（例えば、ＳＴＡ群１２０）に送出する。ＤＬ  ＭＵ−ＭＩＭＯ及びパケット喪失処理のために構成された無線アクセス・ポイント（ＡＰ１１０など）は、特定のマシン又は装置として適している。
【００４４】
動作３０４では、アクセス・ポイントは、動作３０２において送出されたＤＬ  ＭＵ−ＭＩＭＯバーストに含まれるパケット毎に肯定応答（ＡＣＫ）を受信したか否かを判定する。バーストの一部として送出されたパケットが全て、そのデスティネーション局（例えば、図１の群１２０）によって肯定応答された場合、バーストは全部が首尾良いとみなされる。全部が首尾良い場合、処理３００は動作３０６に進み、さもなければ、動作３０８に進む。
【００４５】
動作３０６では、バースト送信が全部、首尾良い場合、アクセス・ポイントは、成功中断を行う。これは、例えば、特定のトラフィック分類の競合ウィンドウの指定された最小サイズに競合ウィンドウをリセットすることを含み得る。これは、
ＣＷ［ＡＣ］＝ＣＷｍｉｎ［ＡＣ］  （１）
によって表され、ここで、ＡＣはアクセス分類（又はトラフィック・タイプ）であり、ＣＷ［ＡＣ］はその特定のＡＣの競合ウィンドウであり、ＣＷｍｉｎ［ＡＣ］は、その特定ＡＣの最小競合ウィンドウである。
【００４６】
成功中断は、バックオフ・タイマの起動も含む。通常、成功状態では、バックオフ・タイマ（すなわち、カウンタ）は、ゼロとＣＷ［ＡＣ］との間の乱数にセットされる。次のバーストは、バックオフ・タイマがゼロに達するまで送信されない。
【００４７】
バースト送信が全部首尾良い訳でない場合、動作３０８で、アクセス・ポイントは、パケット喪失調節の１つ又は複数を行う。前述の調節により、劣悪なチャネル状態が存在しているとみなされ、前述の状態を補償するための１つ又は複数の動作が行われる。前述の動作の例には、１）障害が生じた、最大を超えたパケットの廃棄、２）データ・レートの低減、及び／又は３）ＴＸＯＰの回復が含まれる。
【００４８】
動作３０８の一部として、（ＡＰ１１０などの）無線アクセス・ポイントは、障害が生じたパケットの何れかが、規定された最大再試行閾値に達したかをみるために確認し得る。この閾値は自動的に、又は手作業で規定し得る。手作業の場合、ユーザ又は管理者によって規定し得る。規定された最大再試行閾値は、再試行の数、又は再試行に使用されるデータの量を制限し得る。否定の場合、障害が生じたパケットの再試行カウンタを１つ増やす。肯定の場合、次のバーストからパケットを廃棄する。あるいは、無線アクセス・ポイント（ＡＰ１１０など）は、障害が生じたパケットのデータ・レートを低減させ得る。このようにして、障害ＳＴＡに対してパケットにおいて送出されたデータ量は次回、続いて起こり得る。あるいは、無線アクセス・ポイント（ＡＰ１１０など）はなお、別のＤＬ  ＭＵ−ＭＩＭＯバーストを起動させることにより、ＴＸＯＰを回復するよう試み得る。バーストは通常、短いフレーム間遅延後に送出されるが、ネットワーク割り当てベクトル（ＮＡＶ）タイマの満了前に送出される。短いフレーム間遅延は例えば、ＳＩＦＳ（短いフレーム間空間）、ＰＩＦＳ（ＰＣＦフレーム間空間）であり得、又は、場合によっては、ＤＩＦＳ（ＤＣＦフレーム間空間）であり得る。再試行されたパケットのデータ・レートは低下させることもできる。通常、再送信されたＤＬ  ＭＵ−ＭＩＮＯバーストは、首尾良いＳＴＡ及び障害が生じたＳＴＡに宛てられたデータ・パケットを含む。
【００４９】
処理３００は次いで動作３１０に進み、この時点では、（ＡＰ１１０などの）無線アクセス・ポイントは、（動作３０２の）バーストが部分的に首尾良いか否かを判定する。バーストの一部として送出されたパケットの少なくとも１つ（全部でないとみなす）がデスティネーション局（ＳＴＡ１２２など）によって肯定応答されると、部分的に首尾良いとみなされる。部分的に首尾良いに過ぎない場合、１つの実現形態では、処理３００は、（上述の）動作３０６の成功中断に進み、さもなければ、動作３１２の成功中断に進む。あるいは、（ＭＡＣ保護及びリンク適合を備えた）別の実現形態では、部分的に首尾良いに過ぎない場合、処理３００は動作３１２の成功中断に進む。この動作は、動作３０６の成功中断と同様な別の成功中断である。しかし、３０６と違って、動作３１２は、別のバースト送信（動作３０２など）に戻らず、ＭＡＣ保護及びリンク適合動作３１６に進む。
【００５０】
バースト送信が、部分的に首尾良い訳でない（すなわち、全部に障害が生じた）場合、動作３１４で、（ＡＰ１１０などの）無線アクセス・ポイントは障害中断を行う。これは、例えば、競合ウィンドウを漸増的に、又は指数関数的に増加させ得る。しかし、設定された競合ウィンドウ・サイズは、特定のトラフィック分類の競合ウィンドウの指定された最大サイズを超えない。これは、
ＣＷ［ＡＣ］＝ＣＷ［ＡＣ］＋１）＊２−１  （２）によって表され、
ここで、ＡＣはアクセス分類（又はトラフィック・タイプ）であり、ＣＷ［ＡＣ］はその特定のＡＣの競合ウィンドウである。
【００５１】
障害中断は、バックオフ・タイマの起動も含む。通常、障害状態では、バックオフ・カウンタは、ゼロとＣＷ［ＡＣ］との間の乱数にセットされる。当然、この障害状態では、ＣＷ［ＡＣ］はおそらく、成功状態における場合よりも大きくなる。次のバーストは、バックオフ・タイマがゼロに達するまで送信されない。
【００５２】
この後、処理３００は、実現形態に応じて任意の２つの経路のうちの１つを採用し得る。次のＤＬ  ＭＵ−ＭＩＭＯバーストを送出し、処理を新たに開始するために、無線アクセス・ポイント（ＡＰ１１０など）の動作３０２に戻り得る。あるいは、処理３００は動作３１６に進み得る。その動作は、以下に説明する、図４のＭＡＣ保護及びリンク適合処理４００を表す。その後、次のＤＬ  ＭＵ−ＭＩＭＯバーストを送出し、処理をもう一度開始するために、無線アクセス・ポイント（ＡＰ１１０など）の動作３０２に戻る。
【００５３】
図４は、ＭＡＣ保護及びリンク適合の処理４００を示し、動作４０２を含む。この動作では、前述の環境におけるＤＬ  ＭＵ−ＭＩＭＯ及びパケット喪失処理のために構成された無線アクセス・ポイント（ＡＰ１１０など）は、ＤＬ  ＭＵ−ＭＩＭＯ群（例えば、ＳＴＡ群１２０）に対するＤＬ  ＭＵ−ＭＩＭＯバースト（例えば、バースト１３０）においてどのパケットに障害が生じたかを判定する。ＤＬ  ＭＵ−ＭＩＭＯ及びパケット喪失処理のために構成された無線アクセス・ポイント（ＡＰ１１０など）は、特定のマシン又は装置として適している。
【００５４】
動作４０４では、アクセス・ポイントは、障害が生じた局（又は、あるいは、障害が生じたパケット）に対してＭＡＣ保護がＯＮであるかを判定する。ＭＡＣ保護がオフである場合、処理４００は動作４０６に進み、さもなければ、動作４０８に進む。
【００５５】
次いで、動作４０６では、アクセス・ポイントは、障害が生じた局（又は、あるいは、障害が生じたパケット）のＭＡＣ保護をオンにする。このことは、ＲＴＳ／ＣＴＳ（障害が生じたＳＴＡとのトランザクション）を起動させることにより、少なくとも部分的に実現される。ＭＡＣ保護をオンにすることにより、ＳＴＡのＴＸＯＰ（「保護された」ＴＸＯＰとも呼ばれる）も確立される。
【００５６】
ＭＡＣ保護が既にオンである場合、動作４０８で、アクセス・ポイントは、障害が生じたパケット（又は、あるいは、障害が生じた局）について、低データ・レート閾値に達したか否かを判定する。低デ―タレート閾値に達した場合、処理４００は動作４１２に進み、さもなければ、処理は動作４１０に進む。
【００５７】
動作４１０では、アクセス・ポイントは、障害が生じたパケット（及び／又は障害が生じたＳＴＡ）のデータ・レートを低減させる。更に、データ・レート低減の数又は量を追跡するために低データ・レート・カウンタが１つ増やされる（か、又は、減らされる）。ここから、処理は動作４１４に進む。
【００５８】
データ・レート低減の数又は量が、指定された閾値を超えた場合、動作４１２で、障害が生じたＳＴＡはＤＬ  ＭＵ−ＭＩＭＯ群から除外される。よって、次のＤＬ  ＭＵ−ＭＩＭＯバーストにおいて、障害が生じたＳＴＡに宛てられるパケットは存在しない。
【００５９】
次に、動作４１４で、処理４００は終了し、処理３００の動作３０２に戻る。よって、無線アクセス・ポイント（ＡＰ１１０など）は次のＤＬ  ＭＵ−ＭＩＭＯバーストを送出する。あるいは、動作４１４で、無線アクセス・ポイント（ＡＰ１１０など）は、障害が生じたＳＴＡのビーム形成訓練も行い得る。
【００６０】
図５は、ＤＬ  ＭＵ−ＭＩＭＯネットワーキング環境のパケット喪失処理の処理５００を示す。処理５００は開始５０２を含む。動作５０４では、前述の環境においてＤＬ  ＭＵ−ＭＩＭＯ及びパケット喪失処理のために構成された無線アクセス・ポイント（ＡＰ１１０など）はバックオフ・カウンタがゼロであるか否かを判定する。否定の場合、開始５０２に戻る。次のＤＬ  ＭＵ−ＭＩＭＯバーストを送出するために時点として適切でないからである。バックオフ・タイマがゼロの場合、動作５０６で、無線アクセス・ポイント（ＡＰ１１０など）は、当初の、又は次のＤＬ  ＭＵ−ＭＩＭＯバースト（例えば、バースト１３０）をＤＬ  ＭＵ−ＭＩＭＯ群（例えば、ＳＴＡ群１２０）に送出する。ＤＬ  ＭＵ−ＭＩＭＯ及びパケット喪失処理のために構成された無線アクセス・ポイント（ＡＰ１１０など）は、特定のマシン又は装置として適している。
【００６１】
次に、動作５０８では、無線アクセス・ポイント（ＡＰ１１０など）は、動作５０６のＤＬ  ＭＵ−ＭＩＭＯバーストにパケット障害が存在しているか否かを判定する。否定の場合、それは、無線アクセス・ポイント（ＡＰ１１０など）が、ＤＬ  ＭＵ−ＭＩＭＯ群に対して送出されたパケット全てについてＡＣＫを受信したということを意味する。パケット障害がなかった場合、処理は動作５１０に進む。
【００６２】
動作５１０では、アクセス・ポイントは、特定のトラフィック分類の競合ウィンドウの指定された最小サイズに競合ウィンドウをリセットする。このリセットは式（１）によって表される。
【００６３】
次に、動作５１２では、アクセス・ポイントはバックオフ・タイマを起動させ、次いで、開始５０２に戻る。
【００６４】
パケット障害が存在している場合（ＤＬ  ＭＵ−ＭＩＭＯ群に送出したパケット全てに対するＡＣＫの全てよりも少ないＡＣＫを無線アクセス・ポイントが受信したことを意味する）、動作５１４で、無線アクセス・ポイント（ＡＰ１１０など）は、障害が生じたパケットの何れかが、規定された最大再試行閾値に達したかをみるために確認する。この閾値は自動的に、又は手作業で規定し得る。手作業の場合、ユーザ又は管理者によって規定し得る。規定された最大再試行閾値は、再試行の数、又は再試行に使用されるデータの量を制限し得る。否定の場合、障害が生じたパケットの再試行カウンタを１つ増やす。肯定の場合、アクセス・ポイントはＤＬ  ＭＵ−ＭＩＭＯ群から当該パケットを廃棄する。このようにして、前述のパケットは次のバーストの一部でない。
【００６５】
動作５１６では、無線アクセス・ポイント（ＡＰ１１０など）は、パケット全てに障害が生じた（か、又はＳＴＡの全てに障害が生じたか）を判定する。１つのパケットに障害が生じなかった場合でも、処理は動作５１８に進み、動作５１８では、競合ウィンドウは、動作５１０の場合と同様にリセットされる。処理は動作５２０を飛ばし、その代わりに、バックオフ動作である動作５２２に進む。
【００６６】
パケット全てに障害が生じた場合、処理は動作５２０に進む。ここでは、無線アクセス・ポイント（ＡＰ１１０など）は競合ウィンドウを漸増的に、又は指数関数的に増加させる。しかし、設定された競合ウィンドウ・サイズは、特定のトラフィック分類の競合ウィンドウの指定された最大サイズを超えない。
【００６７】
これは、式（２）によって行い得る。
【００６８】
動作５２２では、バックオフ・タイマが開始する。通常、バックオフ・タイマ（すなわち、カウンタ）は、ゼロとＣＷ［ＡＣ］との間の乱数にセットされる。
【００６９】
次に、動作５２４では、無線アクセス・ポイント（ＡＰ１１０など）は、障害が生じた局（又は、あるいは、障害が生じたパケット）に対してＭＡＣ保護がオンであるかを判定する。ＭＡＣ保護がオフであった場合、処理５００は動作５２６に進み、さもなければ、動作５２８に進む。
【００７０】
ＭＡＣ保護がオフであった場合、動作５２８で、無線アクセス・ポイント（ＡＰ１１０など）は、無線ＳＴＡの群１２０における障害が生じた局（又は、あるいは、障害が生じたパケット）に対するＭＡＣ保護をオンにする。このことは、ＲＴＳ／ＣＴＳ（障害が生じたＳＴＡとのトランザクション）を起動させることにより、少なくとも部分的に実現される。
【００７１】
ＭＡＣ保護が既にオンである場合、動作５２８で、無線アクセス・ポイント（ＡＰ１１０など）は、障害が生じたパケット（及び／又は障害が生じたＳＴＡ）のデータ・レートを低減させる。
【００７２】
あるいは、データ・レート低減の数又は量を追跡するために低データ・レート・カウンタが１つ増やされる（か、又は、減らされる）。無線アクセス・ポイント（ＡＰ１１０など）は、障害が生じたパケット（又は、あるいは、障害が生じた局）の低データ・レート閾値に達したかを判定する。データ・レート低減の数又は量が、指定された閾値を超えた場合、障害が生じたＳＴＡはＤＬ  ＭＵ−ＭＩＭＯ群から除外される。よって、次のＤＬ  ＭＵ−ＭＩＭＯバーストにおいて、障害が生じたＳＴＡに宛てられるパケットは存在しない。
【００７３】
動作５２６又は５２８の後、処理５００は開始５０２に戻る。
【００７４】
おわりに
本願の主題は、構造的特徴及び／又は方法論的動作に特有の文言で記載しているが、特許請求の範囲記載の主題は、記載された特定の特徴又は動作に必ずしも限定されないものとする。むしろ、特定の特徴及び動作は、特許請求の範囲を実現する例示的な形態として開示されている。
【図１】
0005485411.tif 000002
【図２】
0005485411.tif 000003
【図３】
0005485411.tif 000004
【図４】
0005485411.tif 000005
【図５】
0005485411.tif 000006